(57)【特許請求の範囲】
【請求項１】
第１の端部と第２の端部とを有する保持筒（１０）、
前記保持筒（１０）の第１の端部に回転可能に取り付けられた第１の調整スリーブ（１２）、
前記第１の調整スリーブ（１２）の前記保持筒（１０）に対する回転によって該第１の調整スリーブ（１２）の軸方向に移動するように、第１の調整スピンドル（１８）により該第１の調整スリーブ（１２）に接続された第１のリフィル、
前記保持筒（１０）の第２の端部に回転可能に取り付けられた第２の調整スリーブ（３０）、および
前記第２の調整スリーブ（３０）の前記保持筒（１０）に対する回転によって該第２の調整スリーブ（３０）の軸方向に移動するように、第２の調整スピンドル（２４）により該第２の調整スリーブ（３０）に接続された第２のリフィルを備えてなり、
前記第１の調整スピンドル（１８）が管状をなし、前記第２の調整スピンドル（２４）は、第１の作動位置において前記管状の第１の調整スピンドル（１８）内に突出すると共に第２の作動位置において該管状の第１の調整スピンドル（１８）から脱する端部を、前記第２のリフィルから離れた側に有し、
前記第２の作動位置において、前記第２の調整スピンドル（２４）の前記第２のリフィルから離れた側の端部が、軸方向に対して横方向に傾斜することを防止するように、少なくとも一部が前記第１の調整スピンドル（１８）から前記第２のリフィルの方向に延びている案内手段（２２）を備えていることを特徴とするペンシル。
【請求項２】
前記案内手段（２２）は、前記第２の調整スピンドル（２４）の前記第２のリフィルから離れた側の端部が、各作動位置において軸方向に対して横方向に傾斜することを防止する手段であることを特徴とする請求項１記載のペンシル。
【請求項３】
前記案内手段（２２）は、前記第１の調整スピンドル（１８）の前記第１のリフィルから離れた側の端部が、各作動位置において軸方向に対して横方向に傾斜することを防止する手段であることを特徴とする請求項１または２記載のペンシル。
【請求項４】
前記案内手段（２２）がスリーブ形状をなしていることを特徴とする請求項１から３のいずれか１項記載のペンシル。
【請求項５】
前記案内手段（２２）の前記第２のリフィルから離れた側の端部が閉じていることを特徴とする請求項４項記載のペンシル。
【発明の詳細な説明】
【０００１】
技  術  分  野
本発明は、両端部を有する保持筒、前記保持筒に対して回転可能なように前記保持筒の第１の端部に保持された第１の調整スリーブ、前記第１の調整スリーブの前記保持筒に対する回転によって該第１の調整スリーブの軸方向に移動するように、第１の調整スピンドルを有する第１の伝達手段により該第１の調整スリーブに接続された第１のリフィル、前記保持筒に対して回転可能なように前記保持筒の第２の端部に保持された第２の調整スリーブ、および前記第２の調整スリーブの前記保持筒に対する回転によって該第２の調整スリーブの軸方向に移動するように、第２の調整スピンドルを有する第２の伝達手段により該第２の調整スリーブに接続された第２のリフィルを備え、前記第１の調整スピンドルが管状をなし、前記第２の調整スピンドルの前記第２のリフィルから離れた側の端部が、前記第１の調整スピンドル内に突出する少なくとも１つの第１の作動位置を有するペンシルに関するものである。
【０００２】
背  景  技  術
本明細書の冒頭においてに記載されているようなペンシルは、例えばヨーロッパ特許第０４９２２６６号に記載されているように公知である。このようなペンシルは、例えば化粧用ペンシルを含んでいてもよい。しかしながら、このようなペンシルは、例えば物書き用、描画用、色塗り用あるいはマーキング用等の他の目的のための鉛筆あるいはクレヨンであってもよいことが理解されよう。スティックまたはリフィルの自由端部に配設された取付部は、所望とされる任意の構造を有することができ、また任意の方法により保持されることができる。例えば、取付部を有するスティックあるいはリフィルを、固形のリフィルまたはスティックと同様に、筆記用の液体に用いることも可能である。
【０００３】
既知のペンシルの問題点としては、第２の調整スピンドルが第１の調整スピンドル内に突出していないときに、第２の調整スピンドルが、第２のリフィルから離れた側の端部において確実に支持および案内されないことである。
【０００４】
２つの調整スピンドルまたはリフィルの最大変位量を、第２の調整スピンドルが第１の調整スピンドルにギリギリ突出するような程度にまで制限することは理論的に可能であることは明らかである。しかしながら、このように移動を制限すると、とくに自己消費型のリフィルを使用した場合に、リフィルの長さおよびこれに伴うリフィルの量に、それに相当する制限が含まれるであろう。
【０００５】
発  明  の  概  要
したがって、本発明は、本明細書の冒頭において記載したペンシルを、リフィルの最大長さに相当する制限を加えることなく、第２の調整スピンドルが確実に案内されるあるいは保持されるように改良することを目的とする。
【０００６】
本発明によれば、第２の調整スピンドルの第２のリフィルから離れた側の端部が第１の調整スピンドル内に突出しない少なくとも１つの第２の作動位置を有し、第２のリフィルから離れた側の第２の調整スピンドルの端部が、少なくとも第２の作動位置において軸方向に対して横方向に傾斜しないようにするために、第１の調整スピンドルと同一でない案内手段を設けることにより目的が達成される。
【０００７】
換言すれば、本発明によれば、２つの調整スピンドルあるいは２つのリフィルまたはスティックがそのような範囲、より詳細には上述した第２の作動位置にまで伸張可能であるため、第２の調整スピンドルはもはや第１の調整スピンドル内に突出しない。それにも拘わらず、第１の調整スピンドルによるものでなくても、第２のリフィルから離れた側の第２の調整スピンドルの端部の軸方向に対する横方向への傾斜が防止される。
【０００８】
これにより、２つのリフィルの伸張量は、上述したように第１の調整スピンドルを用いることによる第２の調整スピンドルの傾斜防止の必要性によっては、もやは制限されない。
【０００９】
本発明によれば、案内手段が、第２の調整スピンドルにおける第２のリフィルから離れた側の端部が各作動位置において軸方向に対して横方向に傾斜することを防止することが好ましい。換言すれば、少なくとも第１の作動位置において、第２の調整スピンドルが第１の調整スピンドルに突出することは明らかである。しかしながら、この場合、第２の調整スピンドルは、第１の調整スピンドルが軸方向に対して横方向に傾斜することを妨げない。本発明によれば、案内手段は、この目的のために提供されることが好ましい。
【００１０】
第１の調整スピンドルにおける第１のリフィルから離れた側の端部が、軸方向に対して横方向に傾斜することを防止可能であることが理解されよう。しかしながら、本発明によれば、案内手段が、各作動位置において、第１の調整スピンドルにおける第１のリフィルから離れた側の端部が、軸方向に対して横方向に傾斜することを防止するように提供されることが好ましい。この防止動作は、他の防止動作とは別個にあるいは他の防止動作とともに提供することができる。
【００１１】
案内手段は、基本的にはいかなる構造を有していてもよい。しかしながら、本発明によれば、スリーブ形状をなしていることが好ましい。このような構造においては、スリーブは一方で第２の調整スピンドルを収容し、他方で第１の調整スピンドルに自身が収容される。これにより、両調整スピンドルが軸方向に対して横方向に傾斜することを防止できる。
【００１２】
案内スリーブは、第２のリフィルから離れた側の端部が閉じていることが好ましい。これにより、例えば２つのリフィルは、例えば２つのリフィルのうちの１つが揮発性成分を含有するが他方が粉体である場合に効果的な、液体に対する機密性および気体に対する機密性を有する関係を保ちながら、互いに別々に保持される。この場合、詳細には、揮発性成分が粉体を汚染する危険性がある。
【００１３】
発明を実施するための最良の形態
本発明は、下記の図面を参照する好ましい実施形態により、さらなる特徴とともに詳細に説明される。
【００１４】
図１は本発明によるペンシルの好ましい実施形態の軸における断面図である。
【００１５】
図示のダブルリフィルあるいはダブルスティックペンシルは、化粧用ペンシルであり、図示下側の端部において、平坦な塗布領域を備えたリフィルあるいはスティック、換言すれば例えばリップスティックを有し、図示上側に配設されたリフィルあるいはスティックは、例えばライナーのようなどちらかというと点または先端に収束するスティックまたはリフィルである。
【００１６】
図示のペンシルは、その下端部において第１の調整スリーブ１２が嵌合する保持筒１０を有する。この場合、第１の調整スリーブ１２は、適切な手段（例えばスナップ作用によるロック部材）によって、保持筒１０に対して軸方向に移動不可能なように保持されていることは明らかである。しかしながら、第１の調整スリーブ１２は、保持筒１０に対して回転可能とされている。第１の調整スリーブ１２内には、リフィル材料（不図示）を受容するための第１の空洞部１６を有する第１のリフィルホルダ１４が配設されている。第１のリフィルホルダ１４の図示上側の端部には、中空で外面にネジ山が形成された第１の調整スピンドル１８が取り付けられている。ネジ山の段列を図面における参照番号２０で示す。
【００１７】
案内スリーブ２２は、第１の調整スピンドル１８内に突出している。第１の調整スピンドル１８は、案内スリーブ２２に対して軸方向に移動可能かつ回転可能に保持されている。
【００１８】
案内スリーブ２２はその内部において、第２の調整スピンドル２４を収容する。第２の調整スピンドル２４も、案内スリーブ２２に対して軸方向に移動可能かつ回転可能に保持されている。第２の調整スピンドル２４は、その外周面にネジ山を有しており、その段列を図面における参照番号２６で示す。第２の調整スピンドル２４は、図示上側の端部において、第２のリフィルホルダ２８に強固に接続されている。第２のリフィルホルダ２８は、第２の調整スリーブ３０内に突出している。第２の調整スリーブ３０は、スティックまたはリフィルを受容する空洞部３２を有する。
【００１９】
上述した２つの調整スピンドルにおける外面のネジ山との共働のために、保持筒１０に回転不可能かつ軸方向に移動不可能に接続された内側ネジ山部材３４，３６が提供される。
【００２０】
図示の実施形態において、内側ネジ山部材３４は、射出成形により第１の調整スリーブ１２とともに一体的に生産される。内側ネジ山部材３４が図示下側に示す保持筒１０の一端部に挿入された後、第１の調整スリーブ１２が保持筒１０に対して回転される。保持筒１０の内側ネジ山部材３４に対応する領域および内側ネジ山部材３４それ自体は、非球面の輪郭をなしているため、内側ネジ山部材３４は保持筒１０に対しては回転することができない。逆に言うと、内側ネジ山部材３４は、第１の調整スリーブ１２に対して保持筒１０とともに回転し、これにより、内側ネジ山部材３４は、調整スリーブ１２から離脱する。望ましい離脱位置は、その目的のためにそれら２つの構成部品の間に提供される。
【００２１】
図示の実施形態において、内側ネジ山部材３６は案内スリーブ３２と一体的に形成される。内側ネジ山部材３６は中間スリーブ３８とも一体的に製造される。この場合、内側ネジ山部材３６は半径方向に弾性を有するように設計される。したがって、解放した状態において、第２の調整スピンドルは、内側ネジ山部材３６内に案内されることができる。第２の調整スピンドル２４を内側ネジ山部材３６に案内させる唯一の目的は、内側ネジ山部材３６を第２の調整スピンドルに形成された雄ネジ山と係合させて、第２の調整スピンドル２４を保持筒１０内に保持することである。
【００２２】
第１のリフィルホルダ１４および第１の調整スリーブ１２は、回転不可能に一体的に接続されているが、軸方向にはそれぞれ互いに移動可能であることは明らかである。第２の調整スリーブ３０および第２のリフィルホルダ２８も同様に接続されている。軸方向に移動可能とすると同時に回転不可能とするこの種の回転接続は一般的に知られており、このためここでは詳細な説明は省略する。この種の接続は、例えば非球面の内部係止形状により実施可能である。
【００２３】
キャップ４０，４２が、それぞれのスティックまたはリフィルを、例えば乾燥しないように保護するために、それぞれ図示のペンシルの両端部に取り付けられる。
【００２４】
同様の目的がその特徴により達成され、これにより案内スリーブ２２は図示下側における端部が閉じられる。これにより、ペンシルの２つのリフィルが不要に影響を与え合うことが防止される。例えば、一方のリフィルの揮発性成分が他方を汚染することが防止される。さらに、このような構造により、第２の調整スピンドルの図示下側への軸方向の移動を制限する境界部が形成される。
【００２５】
図面に示す実施形態の場合、リフィルの移動は下記のようにして行われる。
【００２６】
図示下側における端部においてリフィルを移動させるために、第１の調整スリーブ１２が保持筒１０に対して回転される。これにより、第１の調整スリーブ１２に取り付けられた第１のリフィルホルダ１４も、これに取り付けられた第１の調整スピンドル１８とともに回転する。上述した回転移動において、保持筒１０に回転不可能に取り付けられた内側ネジ山部材３４のネジ山の係合により、第１のリフィルホルダ１４および第１の調整スピンドル１８が保持筒に対して軸方向に移動し、これにより第１のリフィルホルダ１４に保持されたリフィルが保持筒１０に対して軸方向に移動されることができる。
【００２７】
同様に、上側端部に配設されたリフィルの軸方向への移動は、第２の調整スリーブ３０を保持筒１０に対して回転させることにより行われる。より詳細には、第２の調整スリーブ３０とともに、第２のリフィルホルダ２８および第２の調整スピンドル２４も回転し、内側ネジ山部材３６のネジ山の係合により、第２の調整スピンドル２４および第２のリフィルホルダ２８が、保持されたスティックまたはリフィルとともに軸方向に移動する。
【００２８】
図示の状態においては、いわば両端のリフィルまたはスティックが完全に引き込められると、２つの調整スピンドル１８，２４は一方が他方の内部に伸張するように配設され、これによりペンシル全体の軸方向の構造的な長さを最小限としている。両リフィルが最大限まで引き出されると、第２の調整スピンドル２４の図示下側の端部が第１の調整スピンドル１８の図示上側の端部の上方に位置する。したがって、この状態においては、２つの調整スピンドルは、もはや軸方向に対する横方向への傾斜防止を確保できない。しかしながら、リフィルが上述したように最大限に引き出された状態において、第１の調整スピンドル１８がなお案内スリーブ２８を収容するとともに、第２の調整スピンドル２４がなおその内部に伸張するという、案内スリーブ２２による安全機能が実行される。
【００２９】
明細書、請求の範囲および図面に示した本発明の特徴は、それぞれが本質的なものであるとともに、その種々の実施形態において本発明を実施するあらゆる組み合わせも本質的なものである。
【図面の簡単な説明】
【図１】  本発明によるペンシルの好ましい実施形態の軸における断面図
【図１】
0003688586.tif 000002